(57)【特許請求の範囲】
【請求項１】
薄型表示装置につながることで、その薄型表示装置を支える支持部を覆うカバー部と、
上記カバー部に対して脱着可能である台座部と、
を含む薄型表示装置用スタンドにあって、
上記カバー部は、
そのカバー部の外壁から突き出る第１突出プレートと、
上記第１突出プレートの根元から離れた上記外壁の裾から突き出るとともに、そ
の第１突出プレートによって覆われるプレート開孔を有する第２突出プレートと、
を含み、
上記第１突出プレートには、上記第２突出プレートの開孔に向く一面に第１突起
部が形成され、
上記台座部は、
上記第２突出プレートを含めた上記外壁の裾周囲よりも広い第１開放口と、
上記第１開放口に収まるカバー部を、回転させるためのスペースとなる開放スペ
ース部と、
上記支持部とともに回転するカバー部における第１突出プレートおよび第２突出
プレートの隙間に嵌る開放スペース部の縁である内縁片と、
を含み、
上記内縁片にて上記第１突出プレートに対向する側の一面には、上記第１突起部
の嵌る溝部が形成され、上記内縁片にて上記第２突出プレートに対向する側の一面
には、上記第２突出プレートのプレート開孔に嵌る第２突起部が形成されている
薄型表示装置用スタンド。
【請求項２】
上記第１突起部は、先端に向かって先細った形状である請求項１に記載の薄型表示装置用スタンド。
【請求項３】
上記の先細った形状の第１突起部は、自身の先端の面である第１突起先端面の面積を、自身の根元の面である第１突起根元面よりも狭めることで、自身の側面である第１突起側面を傾斜させている請求項２に記載の薄型表示装置用スタンド。
【請求項４】
上記第１突起側面が平面または曲面である請求項３に記載の薄型表示装置用スタンド。
【請求項５】
上記の先細った形状の第１突起部は、自身の先端の面に曲面を含ませている請求項２に記載の薄型表示装置用表示スタンド。
【請求項６】
上記カバー部が上記第１開放口に収まる場合に、上記第２突出プレートにおける外縁にて上記内縁片に最も近い部分が、先細っている請求項１〜５のいずれか１項に記載の薄型表示装置用スタンド。
【請求項７】
上記の先細った第２突出プレートにおける外縁の部分には、平面または曲面が含まれている請求項６に記載の薄型表示装置用スタンド。
【請求項８】
上記第２突起部は、先端に向かって先細った形状である請求項１〜７のいずれか１項に記載の薄型表示装置用スタンド。
【請求項９】
上記の先細った形状の第２突起部は、自身の先端の面である第２突起先端面の面積を、自身の根元の面である第２突起根元面よりも狭めることで、自身の側面である第２突起側面を傾斜させている請求項８に記載の薄型表示装置用スタンド。
【請求項１０】
上記第２突起側面が平面または曲面である請求項９に記載の薄型表示装置用スタンド。
【請求項１１】
上記の先細った形状の第２突起部は、自身の先端面に曲面を含ませている請求項８に記載の薄型表示装置用表示スタンド。
【請求項１２】
上記カバー部が上記第１開放口に収まる場合に、上記溝部の開放面である溝開放面の縁側面にて第１突起部に最も近い部分は、上記内縁片にて上記第１突出プレートに対向する側の一面に対して鈍角になるように傾斜している請求項１〜１１のいずれか１項に記載の薄型表示装置用スタンド。
【請求項１３】
上記の傾斜した縁側面の部分には、平面または曲面が含まれている請求項１２に記載の薄型表示装置用スタンド。
【請求項１４】
請求項１〜１３のいずれか１項に記載の薄型表示装置用スタンドを搭載する薄型表示装置。
【発明の詳細な説明】
【技術分野】
【０００１】
本発明は、液晶表示装置等の薄型表示装置を支えるスタンドに関するものである。
【背景技術】
【０００２】
液晶テレビ等の薄型表示装置には、通常、支えとなるスタンドが取り付けられている。例えば、特許文献１に示されるスタンドは、薄型表示装置に対して締結されるようになっている。
【０００３】
【特許文献１】実用新案登録第３０９２５３９号公報
【発明の開示】
【発明が解決しようとする課題】
【０００４】
通常、このような締結動作は、大変煩わしいため、ユーザ負担にするわけにはいかない。そのため、梱包前に、予め薄型表示装置とスタンドとを組み立てておくことが望ましい。しかしながら、このように組み立ててしまうと、薄型表示装置の梱包サイズが大型化してしまう。そのため、梱包箱のコストアップにつながる。
【０００５】
また、梱包箱が大型化してしまうと、それをコンテナ等に多量に積載できない。そのため、輸送コストまでも増加してしまう。そして、このようなコストアップは、薄型表示装置の値段に反映されるおそれもある。
【０００６】
本発明は、上記の状況を鑑みてなされたものである。そして、本発明の目的は、梱包箱の小型化の実現に要する薄型表示装置用のスタンド等を提供することにある。
【課題を解決するための手段】
【０００７】
本発明は、薄型表示装置につながることで、その薄型表示装置を支える支持部を保護するカバー部と、そのカバー部に対して脱着可能である台座部とを含む薄型表示装置用スタンドである。
【０００８】
そして、かかる薄型表示装置用スタンドでは、カバー部は、そのカバー部の外壁から突き出る第１突出プレートと、第１突出プレートの根元から離れた外壁の裾から突き出るとともに、その第１突出プレートによって覆われるプレート開孔を有する第２突出プレートと、を含む。
【０００９】
さらに、台座部は、２突出プレートを含めた外壁の裾周囲よりも広い第１開放口と、第１開放口に収まるカバー部を、回転させるためのスペースとなる開放スペース部と、回転するカバー部における第１突出プレートおよび第２突出プレートの隙間に嵌る開放スペース部の縁である内縁片と、を含む。
【００１０】
なお、第１突出プレートには、第２突出プレートの開孔に向く一面に第１突起部が形成され、内縁片にて第１突出プレートに対向する側の一面には、第１突起部の嵌る溝部が形成されると望ましい。
【００１１】
また、第１突起部は、先端に向かって先細った形状であると望ましい。例えば、第１突起部は、自身の先端の面である第１突起先端面の面積を、自身の根元の面である第１突起根元面よりも狭めることで、自身の側面である第１突起側面を傾斜させている先細り形状であってもよい（なお、第１突起側面が平面または曲面であるとさらに望ましい）。
【００１２】
さらなる別例として、第１突起部は、自身の先端の面に曲面を含ませることで先細っていてもよい。
【００１３】
また、カバー部が第１開放口に収まる場合に、第２突出プレートにおける外縁にて内縁片に最も近い部分が、先細ると望ましい。なお、先細った第２突出プレートにおける外縁の部分には、平面または曲面が含まれているとさらに望ましい。
【００１４】
また、内縁片にて第２突出プレートに対向する側の一面には、第２突出プレートの開孔に嵌る第２突起部が形成されていると望ましい。
【００１５】
また、第２突起部は、先端に向かって先細った形状であると望ましい。例えば、第２突起部は、自身の先端の面である第２突起先端面の面積を、自身の根元の面である第２突起根元面よりも狭めることで、自身の側面である第２突起側面を傾斜させた先細り形状であってもよい（なお、第２突起側面が平面または曲面であるとさらに望ましい）。
【００１６】
さらなる別例として、第２突起部は、自身の先端面に曲面を含むことで先細っていてもよい。
【００１７】
また、カバー部が第１開放口に収まる場合に、溝部の開放面である溝開放面の縁側面にて第１突起部に最も近い部分は、内縁片にて第１突出プレートに対向する側の一面に対して鈍角になるように傾斜していると望ましい。なお、傾斜した縁側面の部分には、平面または曲面が含まれているとさらに望ましい。
【００１８】
なお、以上の薄型表示装置用スタンドを搭載する薄型表示装置も本発明といえる。
【発明の効果】
【００１９】
本発明によれば、スタンドが液晶テレビから脱着可能になっている。そのため、例えば、液晶テレビとスタンドとを分離した状態で、梱包が可能になり、梱包箱のサイズが小型になる。したがって、梱包箱のコストダウンが図れ、さらには、小型になった梱包箱を多量に、トラック等の輸送機のコンテナに積載できるので、輸送コストの削減も図れる。
【発明を実施するための最良の形態】
【００２０】
［実施の形態１］
実施の一形態について、図面に基づいて説明すれば、以下の通りである。なお、便宜上、部材符号、ハッチング等を省略する場合もあるが、かかる場合、他の図面を参照するものとする。また、図面によっては、断面図ではないが、便宜上、ハッチングを施す場合もある。なお、図面上での黒丸は紙面に対し垂直方向を意味する。
【００２１】
図１８の斜視図は、液晶テレビ（薄型表示装置）９０を示す。かかる液晶テレビ９０は、スタンド（薄型表示装置用スタンド）ＳＤによって支えられる。
【００２２】
図１は、かかるスタンドＳＤの分解斜視図である。この図に示すように、スタンドＳＤは、支持部１１、カバー部２１、および台座部６１を含む。
【００２３】
支持部１１は、例えば金属製であり、液晶テレビ９０につながることで、その液晶テレビ９０を支える部材である。具体的には、液晶テレビ９０の底に直接取り付けられる支持体１２と、この支持体１２を回動可能に支える支持体台１３とが、支持部１１に含まれる。
【００２４】
カバー部２１は、支持部１１を保護する部材であり、かかる支持部１１の一部（支持体１２）を露出させる露出開孔２２を有するカバー天面２３、このカバー天面２３を囲む外壁２４、および、外壁２４から突出する第１突出プレート３１・第２突出プレート４１を含む。
【００２５】
台座部６１は、本体６２、窪み部６３（天側窪み部分６３ａ・底側窪み部分６３ｂ）、および主開孔部７１を含む。本体６２は台座部６１の主たる部材であり、窪み部６３は本体６２における天面（台座天面６２ａ）および底面（台座底面６２ｂ）の両面に形成された窪みである。また、主開孔部７１は窪み部６３内に形成された孔である。
【００２６】
ここで、カバー部２１について、図２〜図６を用いて詳説する。図２はカバー天面２３を示す平面図であり、図３は外壁２４を示す平面図である。また、図４は図２に示されるカバー部２１のＡ−Ａ’線矢視断面図であり、図５は図２に示されるカバー部２１を示すＢ−Ｂ’線矢視断面図である。また、図６は支持部１１を収容したカバー部２１を示す斜視図である。
【００２７】
なお、外壁２４がカバー天面２３から延び出ている方向を延び方向Ｅとする。また、カバー天面２３の長手の方向を長手方向Ｌ、カバー天面２３の短手の方向を短手方向Ｓとする。
【００２８】
カバー部２１は、図２、図３、図５、および図６に示すように、筒状になった外壁２４と、その外壁２４の縁を塞ぐようなカバー天面２３とを含む。そして、外壁２４およびカバー天面２３にて囲まれる空間ＳＳは、図６に示すように、支持部１１を収容する。そして、カバー天面２３の露出開孔２２から支持部１１の一端である支持体１２が露出する（なお、カバー部２１は、支持部１１を固定しながら収容している）。
【００２９】
また、第１突出プレート３１は外壁２４から突出する。具体的には、第１突出プレート３１は、カバー天面２３の短手から延び出る外壁２４の底縁（外壁２４の裾）から、若干カバー天面２３側に近づく付近にて、例えば長手方向Ｌに沿うように突出している。また、第１突出プレート３１の面とカバー天面２３とは平行関係にある（ただし、第１突出プレート３１の形状は特に限定されるものではない）。
【００３０】
第２突出プレート４１も、第１突出プレート３１同様、外壁２４から突出する。具体的には、第２突出プレート４１はカバー天面２３の短手から延び出る外壁２４の底縁から突出し、第１突出プレート３１に覆われるようになっている（なお、第２突出プレート４１は、第１突出プレートによって覆われる箇所にプレート開孔４２を有する）。したがって、第１突出プレート３１と第２突出プレート４１との間に隙間Ｄが生じる（ただし、第２突出プレート４１の形状は特に限定されるものではない）。
【００３１】
そして、この隙間Ｄに台座部６１の一部が挟まることで、この台座部６１とカバー部２１とがつながる。そこで、この台座部６１について、図７〜図１０を用いて詳説する。図７は台座部６１の本体６２における台座天面６２ａを示す平面図であり、図８は台座天面６２ａの裏側の台座底面６２ｂを示す平面図である。また、図９は図７に示される台座部６１のＣ−Ｃ’線矢視断面図であり、図１０はカバー部２１が主開孔部７１に進入している状態を示す斜視図である。
【００３２】
図７および図９に示すように、台座天面６２ａには、天側窪み部分６３ａが形成される。一方で、図８および図９に示すように、台座底面６２ｂには、天側窪み部分６３ａの裏側に位置する底側窪み部分６３ｂが形成される。そして、これらの天側窪み部分６３ａおよび底側窪み部分６３ｂは、両窪み部分６３ａ・６３ｂにて挟持される本体６２の肉厚部分を板状にする程度まで窪んでいる。
【００３３】
さらに、この窪み部６３には、主開孔部７１が形成される。主開孔部７１は、第１開放口７２と開放スペース部７６とを含む。第１開放口７２は、カバー部２１の外周よりも広い孔、すなわち、扇状の第２突出プレート４１を含めた外壁２４の裾周囲よりも広い孔である。したがって、図１０に示すように、支持部１１を収容したカバー部２１が、第１開放口７２内に進入可能になる。
【００３４】
開放スペース部７６は、第１開放口７２に進入しているカバー部２１を、例えば、外壁２４の裾周囲の中心を基準に回転させるためのスペースである。詳説すると、この回転では、第１突出プレート３１と第２突出プレート４１との隙間Ｄが開放スペース部７６の縁（内縁片８１）に嵌るようになっており、開放スペース部７６は、かかる回転にて外壁２４を第１開放口７２に接触させないようにするスペースである。
【００３５】
つまり、このような台座部６１とカバー部２１とがスタンドＳＤに含まれていると、図１０に示すように、カバー部２１が主開孔部７１（詳説すると、第１開放口７２）に進入可能になり、さらに回転（矢印Ｒ方向参照）することで、第１突出プレート３１と第２突出プレート４１との隙間Ｄと、開放スペース部７６の内縁片８１とが嵌り合い可能になる。そのため、台座部６１とカバー部２１とがつながる。
【００３６】
したがって、このようなスタンドＳＤは、液晶テレビ９０の設置する場合に限って、液晶テレビ９０自身に取り付けできる。逆に、液晶テレビ９０が設置される場合以外では、スタンドＳＤが液晶テレビ９０から取り外されてもよい。つまり、このスタンドＳＤは、液晶テレビ９０に対して脱着可能になっている。
【００３７】
そのため、例えば、支持部１１を装着したカバー部２１を取り付けた液晶テレビ９０と、台座部６１とを分離した状態で、梱包が可能になり、梱包箱のサイズが小型になる。すると、小型になった梱包箱のコストダウンが図れる。また、小型になった梱包箱であれば、トラック等の輸送機のコンテナに比較多量に積載できるので、輸送コストの削減も図れる。
【００３８】
また、かかるスタンドＳＤにおけるカバー部２１と台座部６１とは、ネジ等の締結部材を用いることなくつながる。そのため、ユーザ等に負担をかけることなく、液晶テレビ９０にスタンドＳＤが取り付けられる。
【００３９】
なお、台座部６１とカバー部２１との連結を強固にすべく、第１突出プレート３１には、第２突出プレート４１のプレート開孔４２に向く一面３２に第１突起部ＢＧ１が形成され、内縁片８１にて第１突出プレート３１に対向する側の一面（表面）８２には、第１突起部ＢＧ１の嵌る溝部ＶＹが形成されていると望ましい（図３〜図５および図７〜図９等参照）。また、内縁片８１にて第２突出プレート４１に対向する側の一面（裏面）８３には、その第２突出プレート４１のプレート開孔４２に嵌る第２突起部ＢＧ２が形成されていると望ましい。
【００４０】
このようになっていると、主開孔部７１に進入した後に回転するカバー部２１と台座部６１とを示す図１１の断面図（図４と図９の断面図と同方向からみた断面）のように、カバー部２１に含まれる第１突起部ＢＧ１が台座部６１に含まれる溝部ＶＹに嵌り、カバー部２１に含まれるプレート開孔４２が第２突起部ＢＧ２に嵌る。そのため、内縁片８１における一面８２・８３の面内方向に、カバー部２１が移動しにくくなる（要は、カバー部２１が台座部６１に対して不動になる）。
【００４１】
［その他の実施の形態］
なお、本発明は上記の実施の形態に限定されず、本発明の趣旨を逸脱しない範囲で、種々の変更が可能である。
【００４２】
例えば、第１突出プレート３１の第１突起部ＢＧ１は、突起先端に向かって先細った形状になっていると望ましい。このようになっていれば、第１突起部ＢＧ１の側面ＢＧ１ａは、台座部６１における内縁片８１の一面（表面）８２に対して傾斜することになり、側面ＢＧ１ａを有する第１突起部ＢＧ１が内縁片８１の表面８２上を容易に移動できる。
【００４３】
なお、このような先細った形状の第１突起部ＢＧ１の一例としては、図１２に示すように、第１突起部ＢＧ１の突起先端の面である第１突起先端面ＢＧ１ｂの面積を、突起根元の面である第１突起根元面ＢＧ１ｃよりも狭めることで先細っていてもよい。つまり、第１突起部ＢＧ１は、自身の側面である第１突起側面ＢＧ１ａを傾斜させているとよい（なお、第１突起側面ＢＧ１ａは図１２のような平面に限らず、曲面であってもよい）。
【００４４】
あるいは、先細った形状の第１突起部ＢＧ１は、図１３に示すように、第１突起部先端面ＢＧ１ｂに曲面を含ませてもよい。
【００４５】
また、図１２および図１３に示すように、カバー部２１が第１開放口７２に収まる場合に（図１０参照）、第２突出プレート４１における外縁の側面にて内縁片８１に最も近い部分（部分４１ａ）が、第２突出プレート４１の底面４１ｃに対して鋭角（δ）になるように傾斜していると望ましい。つまり、部分４１ａが、傾斜することで、先細っていると望ましい。
【００４６】
このようになっていれば、傾斜した側面部分４１ａは、台座部６１における内縁片８１の第２突起部ＢＧ２にのりあがりやすくなり、プレート開孔４２が第２突起部ＢＧ２に容易に嵌る。
【００４７】
ただし、傾斜した側面部分４１ａは、図１２および図１３のように平面に限定されるものではなく、図１４に示すように曲面であってもよい。また、プレート開孔４２内の内壁４２ａも、図１４のように、外側に傾いた（部分４１ａに近づくように傾いた）傾斜面になっていると望ましい（なお、この傾斜面は平面でも曲面でもよい）。
【００４８】
また、第２突起部ＢＧ２も、第１突起部ＢＧ１同様に、突起先端に向かって先細った形状になっていると望ましい。このようになっていれば、第２突出プレート４１の側面部分４１ａが、第２突起部ＢＧ２にのりあがりやすくなり、一層、第２突出プレート４１のプレート開孔４２が第２突起部ＢＧ２に容易に嵌る。
【００４９】
なお、このような先細った形状の第２突起部ＢＧ２の一例としては、図１５に示すように、第２突起部ＢＧ２の突起先端の面である第２突起先端面ＢＧ２ｂの面積を、突起根元の面である第２突起根元面ＢＧ２ｃよりも狭めることで先細っていてもよい。つまり、第２突起部ＢＧ２は、自身の側面である第２突起側面ＢＧ２ａを傾斜させているとよい（なお、第２突起側面ＢＧ２ａは図１５のような平面に限らず、曲面であってもよい）。
【００５０】
あるいは、先細った形状の第２突起部ＢＧ２は、図１６に示すように、第２突起先端面ＢＧ２ｂに曲面を含ませてもよい。
【００５１】
また、図１５および図１６に示すように、溝部ＶＹの開放面である溝開放面ＶＹａの縁側面にて、第１突起部ＢＧ１が最初に接触する部分ＶＹａａは、内縁片８１にて第１突出プレート３１に対向する側の一面８２に対して鈍角（θ）になるように傾斜していると望ましい。このようになっていると、溝部ＶＹの入口である溝開放面ＶＹａが広がり、第１突起部ＢＧ１が溝部ＶＹに滑り込みやすくなるためである。
【００５２】
ただし、傾斜した側面ＶＹａａは、図１５および図１６のように平面に限定されるものではなく、図１７に示すように曲面であってもよい。
【００５３】
ところで、以上では隙間Ｄを生じさせる第１突出プレート３１および第２突出プレート４１と、隙間Ｄに嵌る内縁片８１との組は２組であったが、これは複数であれば特に限定されるものではない。つまり、この組は、３組以上であってもよい。
【００５４】
最後に、上記で開示された技術を適宜組み合わせて得られる実施形態についても、本発明の技術的範囲に含まれることはいうまでもない。
【図面の簡単な説明】
【００５５】
【図１】は、スタンドの分解斜視図である。
【図２】は、カバー天面からみたカバー部を示す平面図である。
【図３】は、外壁からみたカバー部を示す平面図である。
【図４】は、図２に示されるカバー部のＡ−Ａ’線矢視断面図である。
【図５】は、図２に示されるカバー部のＢ−Ｂ’線矢視断面図である。
【図６】は、支持部を収容したカバー部を示す斜視図である。
【図７】は、台座天面からみた台座部を示す平面図である。
【図８】は、台座底面からみた台座部を示す平面図である。
【図９】は、図７に示される台座部のＣ−Ｃ’線矢視断面図である。
【図１０】は、カバー部が主開孔部に進入している状態を示す斜視図である。
【図１１】は、カバー部と台座部とを示す断面図である。
【図１２】は、図４に示すカバー部の他の一例を示す断面図である。
【図１３】は、図４および図１２に示すカバー部の他の一例を示す断面図である。
【図１４】は、図４、図１２、および図１３に示すカバー部の他の一例を示す断面図である。
【図１５】は、図９に示す台座部の他の一例を示す断面図である。
【図１６】は、図９および図１５に示す台座部の他の一例を示す断面図である。
【図１７】は、図９、図１５、および図１６に示す台座部の他の一例を示す断面図である。
【図１８】は、スタンドを装着した液晶テレビの斜視図である。
【符号の説明】
【００５６】
１１      支持台
２１      カバー部
２３      カバー部の天面
２４      カバー部の外壁
３１      第１突出プレート
ＢＧ１    第１突起部
ＢＧ１ａ  第１突起部の側面
ＢＧ１ｂ  第１突起部の突起先端面
ＢＧ１ｃ  第１突起部の突起根元面
４１      第２突出プレート
４１ａ    第２突出プレートにおける外縁の側面にて内縁片に最も近い部分
４２      プレート開孔
Ｄ        第１突起プレートと第２突起プレートとの隙間
６１      台座部
６２      台座部の本体
６３      窪み部
７１      主開孔部
７２      第１開放口
７６      開放スペース部
８１      開放スペース部の縁（内縁片）
８２      内縁片にて第１突出プレートに対向する側の一面（表面）
ＶＹ      溝部
ＶＹａ    溝部の溝開放面
ＶＹａａ  溝開放面の縁側面にて第１突起部に最も近い部分
８３      内縁片にて第２突出プレートに対向する側の一面（裏面）
ＢＧ２    第２突起部
ＢＧ２ａ  第２突起部の側面
ＢＧ２ｂ  第２突起部の突起先端面
ＢＧ２ｃ  第２突起部の突起根元面
９０      液晶テレビ
【図１】
0004670846.tif 000002
【図２】
0004670846.tif 000003
【図３】
0004670846.tif 000004
【図４】
0004670846.tif 000005
【図５】
0004670846.tif 000006
【図６】
0004670846.tif 000007
【図７】
0004670846.tif 000008
【図８】
0004670846.tif 000009
【図９】
0004670846.tif 000010
【図１０】
0004670846.tif 000011
【図１１】
0004670846.tif 000012
【図１２】
0004670846.tif 000013
【図１３】
0004670846.tif 000014
【図１４】
0004670846.tif 000015
【図１５】
0004670846.tif 000016
【図１６】
0004670846.tif 000017
【図１７】
0004670846.tif 000018
【図１８】
0004670846.tif 000019